(57)【要約】天井扇風機の内周側固定子巻線（２１）は、第１の内周側固定子巻線（２２）と第２の内周側固定子巻線（２３）とから構成されている。また外周側固定子巻線（１９）の端末は、第１の端子台（２４）の上面を伝い電源線（６）と接続し、第１の内周側固定子巻線（２２）の端末と第２の内周側固定子巻線（２３）の端末とは、第２の端子台（２５）の上面を伝い電源線（６）と接続している。
2014068927.tif 000002
【特許請求の範囲】
【請求項１】
空間を有する中空の支柱部と、
前記支柱部の下部に備えたモータ部と、
前記モータ部の周縁を回転する支持部と、
前記支持部に着脱する複数の羽根部と、
前記空間を介して前記モータ部へ伸びる電源線と、を備え、
前記モータ部は円板形状の固定子鉄心と、
前記固定子鉄心に円環状に設けた複数の切欠きであるスロット部と、
前記スロット部の間に巻装された固定子巻線と、
前記固定子巻線の端末を接続する端子台と、
前記固定子鉄心の側面に対向して取り付けられた回転子とから構成し、
前記スロット部は前記固定子鉄心の外周縁に設けた複数の外周側スロット部と、
複数の前記外周側スロット部のそれぞれ内方に備えた複数の内周側スロット部とからなり、
前記固定子巻線は前記外周側スロット部の間に巻かれる外周側固定子巻線と、
前記内周側スロット部の間に巻かれる内周側固定子巻線とからなり、
前記内周側固定子巻線は第１の内周側固定子巻線と第２の内周側固定子巻線とからなり、
前記端子台は前記外周側固定子巻線と前記内周側固定子巻線との上方に位置する第１の端子台と、
前記内周側固定子巻線の内周側上方に位置する第２の端子台とからなり、
前記外周側固定子巻線の端末は前記第１の端子台の上面を伝い前記電源線と接続し、前記第１の内周側固定子巻線の端末と前記第２の内周側固定子巻線の端末とは、前記第２の端子台の上面を伝い前記電源線と接続することを特徴とする天井扇風機。
【請求項２】
前記第１の端子台は第１の一方側端子台と第１の他方側端子台とからなり、
前記第２の端子台は前記第１の一方側端子台と前記第１の他方側端子台との間に位置すると共に前記第２の端子台と前記第１の一方側端子台と前記第１の他方側端子台とは一体に構成され、
前記内周側固定子巻線は、環状の内周側コイル部を形成し、
前記第１の一方側端子台と前記第１の他方側端子台との間には巻き始めまたは巻き終わりを有する前記内周側コイル部が位置することを特徴とする請求項１に記載の天井扇風機。
【請求項３】
前記第２の端子台は、前記固定子鉄心における前記内周側コイル部の内周に前記第２の端子台の外周端が沿って伸びた円弧形状であることを特徴とする請求項２に記載の天井扇風機。
【請求項４】
前記外周側固定子巻線は、環状の外周側コイル部を形成し、
前記第１の一方側端子台と前記第１の他方側端子台との間には、巻き始めまたは巻き終わりを有する前記外周側コイル部が位置することを特徴とする請求項２に記載の天井扇風機。
【請求項５】
前記第１の一方側端子台は、前記内周側スロット部より内方へ伸びる第１の一方側端子台内方端部と、
前記第１の一方側端子台内方端部に前記電源線と前記外周側固定子巻線とを接続する第１の一方側接続部とを有し、
前記第１の他方側端子台は、前記内周側スロット部より内方へ伸びる第１の他方側端子台内方端部と、
前記第１の他方側端子台内方端部に前記電源線と前記外周側固定子巻線とを接続する第１の他方側接続部とを有し、
前記第２の端子台は、前記内周側スロット部より内方へ伸びる複数の第２の端子台内方端部と、
前記第２の端子台内方端部に前記電源線と前記内周側固定子巻線とを接続する第２の接続部とを有し、
前記第１の一方側端子台内方端部と前記第１の他方側端子台内方端部と前記第２の端子台内方端部とは平行であることを特徴とする請求項２に記載の天井扇風機。
【請求項６】
前記第１の一方側接続部と前記第１の他方側接続部と前記第２の接続部とは、前記支柱部を中心とする同一円周上に位置することを特徴とする請求項５に記載の天井扇風機。
【発明の詳細な説明】
【技術分野】
【０００１】
本発明は、天井扇風機に関する。
【背景技術】
【０００２】
従来の天井扇風機は、羽根部の回転の速度調節にはコンデンサを用いることが一般的である（例えば、特許文献１参照）。以下、その天井扇風機について説明する。【０００３】
天井扇風機は支柱部と、モータ部と、支持部と、複数の羽根部と、電源線とから構成されている。ここで支柱部は、天井扇風機を天井に係合し、中空である。モータ部は、支柱部の下部に備えられている。支持部は、モータ部の周縁に回転自在に設けられている。複数の羽根部は、支持部に着脱可能に設けられている。電源線は、支柱部内の中空の空間を介して天井裏からモータ部へ伸びる。【０００４】
またモータ部は、固定子鉄心と、固定子巻線と、コンデンサと、回転子とから構成されている。固定子鉄心には、切欠きであるスロット部が複数、円環状に設けられている。固定子巻線は、スロット部とスロット部との間に巻装されている。コンデンサは、固定子巻線に電気的に接続されている。回転子は、固定子鉄心の側面に対向して回転可能に取り付けられている。
【先行技術文献】
【特許文献】
【０００５】
【特許文献１】特開昭６２−４８９９７号公報
【発明の概要】
【０００６】
このような従来の天井扇風機における課題は、配線作業が容易でないということであった。すなわち従来の天井扇風機においては、速度調節はコンデンサによって行われていた。そのためモータ部の発熱によってコンデンサの温度が上昇すると、コンデンサの耐久性が低下する。そこで従来の天井扇風機では、コンデンサはモータ部の発熱の影響を受け難い位置に設けられていた。しかし、このようなコンデンサの位置は、配線が長くなり、配線作業は容易でなかった。また、固定子巻線と電源線との接続も容易でなかった。
【０００７】
本発明の天井扇風機は空間を有する中空の支柱部と、支柱部の下部に備えたモータ部と、モータ部の周縁を回転する支持部と、支持部に着脱する複数の羽根部と、空間を介してモータ部へ伸びる電源線とを備えている。モータ部は円板形状の固定子鉄心と、固定子鉄心に円環状に設けた複数の切欠きであるスロット部と、スロット部の間に巻装された固定子巻線と、固定子巻線の端末を接続する端子台と、固定子鉄心の側面に対向して取り付けられた回転子とから構成される。スロット部は固定子鉄心の外周縁に設けた複数の外周側スロット部と、複数の外周側スロット部のそれぞれ内方に備えた複数の内周側スロット部とからなる。固定子巻線は外周側スロット部の間に巻かれる外周側固定子巻線と、内周側スロット部の間に巻かれる内周側固定子巻線とからなる。内周側固定子巻線は、第１の内周側固定子巻線と第２の内周側固定子巻線とからなる。端子台は、外周側固定子巻線と内周側固定子巻線との上方に位置する第１の端子台と、内周側固定子巻線の内周側上方に位置する第２の端子台とからなる。外周側固定子巻線の端末は第１の端子台の上面を伝い電源線と接続し、第１の内周側固定子巻線の端末と第２の内周側固定子巻線の端末とは、第２の端子台の上面を伝い電源線と接続する。
【０００８】
このような天井扇風機では、内周側固定子巻線は第１の内周側固定子巻線と第２の内周側固定子巻線とからなり、以下の２種類の回転動作が可能となるため、速度調節時のコンデンサが不要となる。すなわち第１の回転動作は、第１の内周側固定子巻線と第２の内周側固定子巻線とが電気的に直列かつ、第１の内周側固定子巻線および第２の内周側固定子巻線と、外周側固定子巻線とに、電気的に並列に電圧を印加する場合である。また第２の回転動作は、外周側固定子巻線と第１の内周側固定子巻線とが電気的に直列かつ、外周側固定子巻線および第１の内周側固定子巻線と、第２の内周側固定子巻線とに、電気的に並列に電圧を印加する場合である。また端子台は、第１の端子台と第２の端子台とから構成され、外周側固定子巻線の端末、第１の内周側固定子巻線の端末、および第２の内周側固定子巻線の端末は上記の接続状態である。そのため外周側固定子巻線と電源線との接続、第１の内周側固定子巻線と電源線との接続、および第２の内周側固定子巻線と電源線との接続が容易になる。
【図面の簡単な説明】
【０００９】
【図１】図１は、本発明の実施の形態の天井扇風機の正面図である。
【図２】図２は、同天井扇風機の全体構成を示す断面図である。
【図３】図３は、同天井扇風機の固定子の平面図である。
【図４】図４は、同天井扇風機の固定子の第１の斜視図である。
【図５】図５は、同天井扇風機の固定子の第２の斜視図である。
【発明を実施するための形態】
【００１０】
以下、本発明の実施の形態について図面を参照しながら説明する。
【００１１】
（実施の形態）
図１は本発明の実施の形態の天井扇風機の正面図、図２は同天井扇風機の全体構成を示す断面図である。図１、図２に示すように天井扇風機１は、支柱部２と、モータ部３と、支持部４と、複数の羽根部５と、電源線６とから構成されている。
【００１２】
支柱部２は、空間２ａを有する中空の棒形状である。支柱部２の上部には、天井２０に係合可能な吊下部７が配置されている。また支柱部２の下部に、モータ部３が固定されている。
【００１３】
図３は本発明の実施の形態の天井扇風機の固定子の平面図、図４は同天井扇風機の固定子の第１の斜視図である。図３、図４に示すようにモータ部３は、アウターロータモーターである。モータ部３は固定子鉄心８と、固定子巻線９と、端子台１０と、回転子１１と、スロット部１２とから構成されている。
【００１４】
円板形状の固定子鉄心８は複数枚、鉛直方向に積層されている。固定子鉄心８は、中央に多角形の開口１３を有している。そして開口１３に、支柱部２が固定されている。固定子鉄心８の周縁には、円環状に切欠きであるスロット部１２が複数、備えられている。
【００１５】
スロット部１２は、複数の外周側スロット部１７と、複数の内周側スロット部１８とからなる。ここで複数の外周側スロット部１７のそれぞれは、固定子鉄心８の外周縁に設けられている。また複数の内周側スロット部１８のそれぞれは、複数の外周側スロット部１７のそれぞれ内方に備えられている。なお、隣り合う外周側スロット部１７の距離は、隣り合う内周側スロット部１８の距離より大きい。またスロット部１２は、略楕円形状の孔部１４と、孔部１４から外方へ延びたスリット部１５とから形成されている。
【００１６】
固定子巻線９は、外周側スロット部１７の間に巻かれる外周側固定子巻線１９と、内周側スロット部１８の間に巻かれる内周側固定子巻線２１とからなる。ここで、固定子巻線９と孔部１４との間には、絶縁部１６が配置されている。
【００１７】
図５は、本発明の実施の形態の天井扇風機の固定子の第２の斜視図である。図５に示すように内周側固定子巻線２１は、第１の内周側固定子巻線２２と第２の内周側固定子巻線２３とからなる。また端子台１０は、固定子鉄心８の上面に固定されている。端子台１０は、固定子巻線９の端末と、電源線６とを接続する。すなわち、固定子巻線９と電源線６とは、端子台１０により電気的に接続される。
【００１８】
図４に示すように円環形状の回転子１１は、モータ部３の周縁、つまり固定子鉄心８の側面に対向して回転可能に取り付けられている。また支持部４は、モータ部３の周縁を回転する。すなわち支持部４は、回転子１１に固定され、回転子１１とともに回転自在にモータ部３に設けられている。長四角平板形状の複数の羽根部５は、短辺側の一方が支持部４に着脱可能に設けられている。
【００１９】
図１に示す電源線６は、支柱部２内の空間２ａを介して天井裏からモータ部３へ伸び、天井裏の交流電源と図３に示す固定子巻線９とを電気的に接続する。
【００２０】
上記構成において、図１に示す電源線６によって図３に示す外周側固定子巻線１９と内周側固定子巻線２１とに、図２に示す基板３８を介して電圧が印加される。その結果、図４に示す回転子１１は、固定子巻線９の抵抗値に応じて速度調節された回転動作を行う。
【００２１】
次に、内周側固定子巻線２１の巻き方について図３、図５を参照して説明する。内周側固定子巻線２１は、第１の内周側固定子巻線２２から巻き始め、第１の内周側固定子巻線２２を巻き終えると、次に第２の内周側固定子巻線２３を巻く。
【００２２】
まず第１の内周側固定子巻線２２は、以下の第１の巻作業を複数回繰り返して巻かれる。第１の巻作業はスリット部１５を介して、隣り合う内周側スロット部１８の孔部１４の固定子鉄心８における内方側から巻線を巻き始め、徐々に外方側へ向かって巻き続ける。ここで、巻線が内周側スロット部１８の孔部１４の固定子鉄心８における最も外方側へ到達すると、再び内方側へ向かって巻き続ける。そして巻線が最も内方側へ到達すると、再び外方側へ向かって巻き続ける。これらを繰り返し、最後は最も内方側にて終了する。これが、巻き始めを有する内周側コイル部２８となる。以上の作業が、第１の巻作業である。
【００２３】
次に、隣り合う内周側スロット部１８の孔部１４へ移動し、再び第１の巻作業を行う。これらを内周側スロット部１８のすべての孔部１４において行う。最後に巻かれた内周側コイル部２８が、巻き終わりを有する内周側コイル部２８となる。
【００２４】
次に、第２の内周側固定子巻線２３は、第１の内周側固定子巻線２２の上に巻く第２の巻作業を複数回繰り返して巻かれる。第２の巻作業は、第１の内周側固定子巻線２２を巻き始めた内周側スロット部１８の同じ孔部１４から巻き始める。第１の内周側固定子巻線２２の場合と同様にスリット部１５を介して、隣り合う内周側スロット部１８の孔部１４の固定子鉄心８における内方側から巻線を巻き始め、徐々に外方側へ向かって巻き続ける。ここで、巻線が最も外方側へ到達すると、再び内方側へ向かって巻き続ける。巻線が最も内方側へ到達すると、再び外方側へ向かって巻き続ける。これらを繰り返し、最後は内周側スロット部１８の孔部１４の固定子鉄心８における最も内方側でも、最も外方側でも、途中で終了しても良い。
【００２５】
これが巻き始めを有する内周側コイル部２８となる。以上の作業が第２の巻作業である。次に、隣り合う内周側スロット部１８の孔部１４へ移動し、再び第２の巻作業を行う。これらを内周側スロット部１８のすべての孔部１４において行い、最後に巻かれた内周側コイル部２８が、巻き終わりを有する内周側コイル部２８となる。最後に、固定子巻線９と孔部１４との間には、絶縁部１６が挿入される。
【００２６】
以上の構成から、第１の内周側固定子巻線２２の巻き始めを有する内周側コイル部２８と、第２の内周側固定子巻線２３の巻き始めを有する内周側コイル部２８とは同じ内周側コイル部２８となる。同様に、第１の内周側固定子巻線２２の巻き終わりを有する内周側コイル部２８と、第２の内周側固定子巻線２３の巻き終わりを有する内周側コイル部２８とは同じ内周側コイル部２８となる。
【００２７】
本実施形態における天井扇風機の特徴は、図５に示す内周側固定子巻線２１と端子台１０とにある。具体的には内周側固定子巻線２１は、第１の内周側固定子巻線２２と第２の内周側固定子巻線２３とからなり、以下の２種類の回転動作が可能となるため、速度調節時のコンデンサが不要となる。すなわち第１の回転動作は、第１の内周側固定子巻線２２と第２の内周側固定子巻線２３とが電気的に直列かつ、第１の内周側固定子巻線２２および第２の内周側固定子巻線２３と、外周側固定子巻線１９とに、電気的に並列に電圧を印加する場合である。また第２の回転動作は、外周側固定子巻線１９と第１の内周側固定子巻線２２とが電気的に直列かつ、外周側固定子巻線１９および第１の内周側固定子巻線２２と、第２の内周側固定子巻線２３とに、電気的に並列に電圧を印加する場合である。また図４に示すように端子台１０は、第１の端子台２４と第２の端子台２５とから構成されている。
【００２８】
第１の端子台２４は、外周側固定子巻線１９と内周側固定子巻線２１との上方に位置する。第２の端子台２５は、内周側固定子巻線２１の内周側上方に位置する。ここで外周側固定子巻線１９の端末は、第１の端子台２４の上面を伝い電源線６と接続する。また図５に示すように第１の内周側固定子巻線２２の端末と第２の内周側固定子巻線２３の端末とは、第２の端子台２５の上面を伝い電源線６と接続する。そのため、外周側固定子巻線１９と電源線６との接続、第１の内周側固定子巻線２２と電源線６との接続、および第２の内周側固定子巻線２３と電源線６との接続が容易になり、配線作業が容易になる。
【００２９】
また図５に示すように第１の端子台２４は、第１の一方側端子台２６と第１の他方側端子台２７とからなる。第２の端子台２５は、第１の一方側端子台２６と第１の他方側端子台２７との間に位置する。そして第２の端子台２５と、第１の一方側端子台２６と、第１の他方側端子台２７とは一体に構成されている。ここで、内周側固定子巻線２１は、隣り合う内周側スロット部１８の間に巻かれ、環状の内周側コイル部２８を形成している。第１の一方側端子台２６と第１の他方側端子台２７との間には、巻き始めまたは巻き終わりを有する内周側コイル部２８が位置する。そのため内周側コイル部２８における巻き始め、または巻き終わりは、目視にて容易に確認できる。また内周側コイル部２８から第２の端子台２５へ伸びた、巻き始め、および巻き終わりの内周側固定子巻線２１の渡り線の長さが短くなる。そして内周側コイル部２８から第２の端子台２５への内周側固定子巻線２１の引き回しが容易になり、配線作業が容易になる。
【００３０】
また図５に示すように第２の端子台２５は、固定子鉄心８における内周側コイル部２８の内周に、第２の端子台２５の外周端が沿って伸びた円弧形状である。すなわち、第１の端子台２４および第２の端子台２５を鉛直方向上方から見ると、巻き始めまたは巻き終わりを有する内周側コイル部２８が見えるので、配線作業が容易になる。
【００３１】
また、図５に示す第１の内周側固定子巻線２２の巻き始め、および巻き終わりと、第２の内周側固定子巻線２３の巻き始め、および巻き終わりとが、内周側スロット部１８の固定子鉄心８における内方側に位置する。そのため、第１の内周側固定子巻線２２の巻き始め、および巻き終わりと、第２の内周側固定子巻線２３の巻き始め、および巻き終わりとから第２の端子台２５へ伸びる渡り線の長さが短くなる。その結果、内周側コイル部２８から第２の端子台２５への内周側固定子巻線２１の引き回しが容易になり、配線作業が容易になる。
【００３２】
また、図５に示す外周側固定子巻線１９は、隣り合う外周側スロット部１７の間に巻かれ、環状の外周側コイル部２９を形成する。そして第１の一方側端子台２６と、第１の他方側端子台２７との間には、巻き始め、または巻き終わりを有する外周側コイル部２９が位置する。
【００３３】
これにより、外周側固定子巻線１９の巻き始めから第１の一方側端子台２６へ伸びる渡り線の長さ、および外周側固定子巻線１９の巻き終わりから第１の他方側端子台２７へ伸びる渡り線の長さが短くなる。その結果、外周側固定子巻線１９から第１の端子台２４への外周側固定子巻線１９の渡り線の引き回しが容易になり、配線作業が容易になる。
【００３４】
また、図５に示すように第１の一方側端子台２６の外方には、第１の一方側引掛部３６を有している。そして第１の他方側端子台２７の外方には、第１の他方側引掛部３７を有している。これにより第１の一方側引掛部３６を介して、外周側固定子巻線１９の巻き始めから第１の一方側端子台２６へ伸びる渡り線と、電源線６との接続が容易になる。また第１の他方側引掛部３７を介して、外周側固定子巻線１９の巻き終わりから第１の他方側端子台２７へ伸びる渡り線と、電源線６との接続が容易になる。
【００３５】
また第１の一方側端子台２６は、第１の一方側端子台内方端部３０と、第１の一方側接続部３１とを有する。第１の一方側端子台内方端部３０は、内周側スロット部１８より内方へ伸びる。第１の一方側接続部３１は、第１の一方側端子台内方端部３０に電源線６と外周側固定子巻線１９とを接続する。
【００３６】
さらに第１の他方側端子台２７は、第１の他方側端子台内方端部３２と、第１の他方側接続部３３とを備えている。第１の他方側端子台内方端部３２は、内周側スロット部１８より内方へ伸びる。第１の他方側接続部３３は、第１の他方側端子台内方端部３２に電源線６と外周側固定子巻線１９とを接続する。
【００３７】
また図５に示すように第２の端子台２５は、複数の第２の端子台内方端部３４と、複数の第２の接続部３５とを有している。複数の第２の端子台内方端部３４のそれぞれは、内周側スロット部１８より内方へ伸びる。複数の第２の接続部３５のそれぞれは、第２の端子台内方端部３４に電源線６と内周側固定子巻線２１とを接続する。
【００３８】
すなわち、電源線６と接続する第１の一方側接続部３１、第１の他方側接続部３３、および複数の第２の接続部３５のそれぞれは、内周側スロット部１８より内方に位置する。そのため、それぞれの接続部において内周側固定子巻線２１の温度上昇の影響が抑制される。
【００３９】
ここで第１の一方側端子台内方端部３０と、第１の他方側端子台内方端部３２と、複数の第２の端子台内方端部３４のそれぞれとは平行である。これにより、それぞれに固定される渡り線も平行になり、それらの渡り線の間隔も一定になる。
【００４０】
また図５に示すように第１の一方側接続部３１と、第１の他方側接続部３３と、複数の第２の接続部３５のそれぞれとは支柱部２を中心とする同一円周上に位置する。これにより、支柱部２から伸びる電源線６の長さが同一となる。
【産業上の利用可能性】
【００４１】
本発明の天井扇風機は、配線作業性が向上するため家庭用、事務所用に有用である。
【符号の説明】
【００４２】
１    天井扇風機
２    支柱部
３    モータ部
４    支持部
５    羽根部
６    電源線
７    吊下部
８    固定子鉄心
９    固定子巻線
１０    端子台
１１    回転子
１２    スロット部
１３    開口
１４    孔部
１５    スリット部
１６    絶縁部
１７    外周側スロット部
１８    内周側スロット部
１９    外周側固定子巻線
２０    天井
２１    内周側固定子巻線
２２    第１の内周側固定子巻線
２３    第２の内周側固定子巻線
２４    第１の端子台
２５    第２の端子台
２６    第１の一方側端子台
２７    第１の他方側端子台
２８    内周側コイル部
２９    外周側コイル部
３０    第１の一方側端子台内方端部
３１    第１の一方側接続部
３２    第１の他方側端子台内方端部
３３    第１の他方側接続部
３４    第２の端子台内方端部
３５    第２の接続部
３６    第１の一方側引掛部
３７    第１の他方側引掛部
３８    基板
【図１】
2014068927.tif 000003
【図２】
2014068927.tif 000004
【図３】
2014068927.tif 000005
【図４】
2014068927.tif 000006
【図５】
2014068927.tif 000007
【国際調査報告】
2014068927.tif 000008
2014068927.tif 000009
2014068927.tif 000010
2014068927.tif 000011